(57)【要約】【課題】使用者に応じて音声を変換して出力するための音声出力装置を提供する。【解決手段】音声出力装置１は、音声を受信するための受信部１１０と、音声を、音声出力装置１００の使用者が認識できる音声に変換するための変換データを格納するための記憶部１２０と、当該変換データに基づいて、受信部１１０によって受信された音声を、当該使用者が認識できる音声に変換するように構成された変換部１３０と、使用者が認識できる音声を出力するための出力部１４０と、記憶部１２０に格納されている変換データを更新するための更新部１５０とを備える。【選択図】図１
2013127536.tif 000002
【特許請求の範囲】
【請求項１】
音声出力装置であって、
音声を受信するための受信手段と、
前記音声を、当該音声出力装置の使用者が認識できる音声に変換するための変換データを格納するためのメモリと、
前記変換データに基づいて、前記受信手段によって受信された音声を、前記使用者が認識できる音声に変換するための変換手段と、
前記使用者が認識できる音声を出力するための出力手段とを備える、音声出力装置。
【請求項２】
前記メモリに格納されている変換データを更新するための更新手段をさらに備える、請求項１に記載の音声出力装置。
【請求項３】
請求項１または２に記載の音声出力装置を備える、通信端末。
【請求項４】
前記変換データは、前記通信端末の使用者によって修正可能である、請求項３に記載の通信端末。
【請求項５】
請求項１または２に記載の音声出力装置を備える、補聴器。
【請求項６】
音声出力装置を制御するためのプログラムであって、
前記プログラムは、前記音声出力装置に、
前記音声出力装置によって受信される音声を、当該音声出力装置の使用者が認識できる音声に変換するための変換データをロードするステップと、
前記変換データに基づいて、前記受信された音声を、前記使用者が認識できる音声に変換するステップと、
前記使用者が認識できる音声を出力するステップとを実行させる、プログラム。
【請求項７】
音声出力装置の使用者に応じた音声を提供するための方法であって、
前記音声出力装置と通信可能な情報通信装置が、音声を、前記音声出力装置の使用者が認識できる音声に変換するための変換データを受信するステップと、
前記変換データを前記音声出力装置に送信するステップとを含む、方法。
【請求項８】
前記受信するステップは、前記音声出力装置の使用者の聴力の検査結果に基づいて作成される変換データを受信するステップを含む、請求項７に記載の方法。
【請求項９】
音声を、音声変換を必要とする使用者が認識できる音声に変換するための変換データと、前記使用者の情報とを格納するための記憶手段と、
前記使用者の情報が登録された端末への着信に応答して当該端末が発呼していることを検知するための検知手段と、
前記発呼の検知に応答して、前記使用者のための前記変換データを前記端末に送信するための送信手段とを備える、音声出力装置。
【請求項１０】
音声を、音声変換を必要とする使用者が認識できる音声に変換するための変換データと、前記使用者の情報とを格納するための記憶手段と、
前記使用者の情報が登録された端末に対する、前記使用者からの着信を検知するための検知手段と、
前記着信の検知に応答して、前記使用者のための前記変換データを前記端末に送信するための送信手段とを備える、音声出力装置。
【請求項１１】
請求項１〜１０のいずれかに記載の変換データを更新するためのシステムであって、
前記変換データを使用する使用者の新たな検査情報を取得するための取得手段と、
前記変換データを格納するための記憶手段と、
前記新たな検査情報に基づいて前記記憶手段に格納されている変換データを更新するための更新手段と、
前記更新手段によって更新された変換データを、当該使用者の情報が登録された端末に送信するための送信手段とを備える、更新システム。
【請求項１２】
音声出力装置を制御するためのプログラムであって、
前記プログラムは、前記音声出力装置に、
前記音声出力装置によって受信される音声を、当該音声出力装置の使用者が認識できる音声に変換するための変換データをロードするステップと、
前記変換データに基づいて、前記受信された音声を、前記使用者が認識できる音声に変換するステップと、
前記使用者が認識できる音声を出力するステップとを実行させ、
前記変換するステップは、音声帯域のスペクトラムの強弱を組み合わせることにより、前記受信された音声を前記認識できる音声に変換することを含む、プログラム。
【発明の詳細な説明】
【技術分野】
【０００１】
本発明は、音声の変換に関し、より特定的には、音声出力装置の使用者に応じて音声を変換するための技術に関する。
【背景技術】
【０００２】
補聴器のように音声を変換して出力する技術が知られている。また、携帯電話やスマートフォンのように、マイクやスピーカを有する通信端末が、コミュニケーションの手段として広く普及している。
【０００３】
たとえば、特開平６−７５５５９５号公報（特許文献１）は、「実時間で音声加工が可能で、ホルマント強調効果の高く、不自然な残留雑音のすくない音声加工装置」および「ホルマント強調と音声信号スペクトルを難聴者の可聴範囲にいれる信号処理とを両方とも効率的に行う補聴器」を開示している（［要約］）。
【０００４】
特開２００３−３１９４９７号公報（特許文献２）は、「携帯電話などの通話装置において、個人の聴力に合わせた、周波数特性やダイナミックレンジ圧縮特性を持たせて聴力補償を行ない、高齢者や聴力弱者でも良好な通話が選られる通話装置」を開示している（段落０００１）。
【０００５】
特開２００１−１３６２４０号公報（特許文献３）は、「ユーザーの聴力を補正して通話することができるようにする」ための技術を開示している。
【先行技術文献】
【特許文献】
【０００６】
【特許文献１】特開平６−７５５５９５号公報
【特許文献２】特開２００３−３１９４９７号公報
【特許文献３】特開２００１−１３６２４０号公報
【発明の概要】
【発明が解決しようとする課題】
【０００７】
携帯電話はマイクから音声を入力し、イヤーピースから相手の音声を聞く事が出来る。マイクから入力された人間の声は、μ-lawコーデックというＧ．７１１でＩＴＵ−Ｔ（International  Telecommunication  Union  Telecommunication  Standardization  Sector）が標準化したシンプルなコーデックでデジタル化される。これでは帯域が大き過ぎるため、狭帯域にするために音声コーデックでコード化される。
【０００８】
人間の声は、音源である声帯の音の特性や有声・無声の区別と、咽喉と口腔、鼻腔、舌、唇などの調音器官(声道)の共鳴による周波数選択特性でモデル化できる。音声波形はかなり早い振動成分を含むが、調音機構などの動きはそれと比べると比較的緩やかであり、それらを適切にパラメータ化することで、必要なデータを大幅に減らすことができる。
【０００９】
なお、音声コーデックには、大きく２種類ある。一つは、音声信号の隣り合ったサンプル間には相関があるため、過去のサンプル値を利用して現在のサンプル値を予測することができ、1つ前のサンプル値を予測値として、次のサンプル値との差分のみをコード化する適応的差分ＰＣＭ（Adaptive  Differential  Pulse  Code  Modulation）方式というものである。
【００１０】
もう一つは、ＣＥＬＰ（Code-Excited  Linear  Prediction）に代表される、波形符号化と分析合成符号化とを組み合わせた方法である。この方法は、分析合成符号化と同様に、声帯に相当する音源と声道の特性とを表す合成フィルターとして音声をモデル化してパラメータ化し、声道のパラメータを用いて音声波形を再合成し、元の音声波形にできるだけ近くなるよう音源パラメータを求めるものである。
【００１１】
多くの音声圧縮システムは、音声信号の周期性をモデル化するためにサブシステムを使用する。音声圧縮（あるいは符号化）において広く使用されている、そのような２つの周期性モデルとして、ピッチ予測フィルタ（ＰＰＦ：Pitch  Prediction  Filter）および適応コードブック（ＡＣＢ：Adaptive  Codebook）がある。
【００１２】
ＡＣＢは、基本的には、過去の音声信号、または、音声残差や励振信号のようなその派生物（以下「音声信号」という。）のサンプルを保持するメモリである。過去の（メモリに保持されている）音声信号のサンプルを現在にコピーすることによって周期性を導入（あるいはモデル化）することにより、現在の音声信号がどのようになるかを「予測」する。
【００１３】
代表的なＣＥＬＰ音声圧縮方式は、固定コードブック（ＦＣＢ：Fixed  Codebook）とＡＣＢの従来の組み合せ（この組み合せは、ＣＥＬＰ方式の符号器および復号器の両方で使用される）として構成される。ＦＣＢは、インデックス値Ｉを受信し、それによりＦＣＢは、所定期間の音声信号（励振）ベクトルを出力する。この所定期間は、サブフレームと称される。たとえば、この音声励振信号は、サブフレーム内に位置する一つ以上の主パルスからなる。説明を明確にするために、出力ベクトルは、単位大きさを有する単一の大きいパルスを有すると仮定する。出力ベクトルは、増幅器によって加えられる利得gcでスケールされる。
【００１４】
ＦＣＢおよび利得の作用と平行して、ＡＣＢは、以前に合成した音声に基づいて音声信号を生成する。
【００１５】
こうして作成された音声データは、インターリーブやパンクチュアル化された後、シリアル／パラレル変換され、変調器で変調され、パワーアンプで増幅後、アンテナから出力されて、基地局に送信される。
【００１６】
基地局で受信された信号は、復調後、Ｇ．７１１で一般電話回線に送られて、相手側の携帯電話が属する基地局で再度同じ音声コーデックで変調され、相手の携帯電話に送信される。受信されたデジタル信号は、同じく音声コーデックでＧ．７１１に復調された後、アナログの音声信号に復調されて、イヤーピースから出力される。
【００１７】
携帯電話の音声帯域は、約３４０Ｈｚ〜４ＫＨｚであり、この帯域を聞きにくい難聴者は、補聴器で聞きとれないスペクトラムの音量を最適化することにより、聞けるようにしている。これは、難聴者が掛り付けの医師が、難聴者を定期的に診断することにより、補聴器のスペクトラムのどの部分を補正するべきかを最適化しているが、強弱に限られる。すなわち、Ａさんが高音を聞きとりにくい場合、たとえば、８００Ｈｚと１５００Ｈｚのスペクトラムを聞き取りにくいときを例示する。この場合、補聴器は、その内部で、このスペクトラムを大きくし、逆に、特定のスペクトラムだけが、大きく聞こえる場合は、そのスペクトラムを下げて聞こえやすくする。
【００１８】
そして、人によって聞き取りにくい単語は、異なる。たとえば、Ａさんは、ある単語（たとえば「ブランド」）がどうしても別の単語（たとえば「ウランド」）に聞こえ、「ブレーキ」は「ウレーキ」に聞こえると仮定する。また、「ブラツキ」は「ばらつき」に聞こえ、「ぷりアー」は「バリアー」に聞こえると仮定する。音声が認識される態様は、このように、その人に応じた固有のパターンがあり、千差万別の聞こえ方となる。そのため、一般の補聴器を用いて音声を補正することは、困難である。したがって、使用者に応じて音声を調整して調整後の音声を出力するための技術が必要とされている。
【００１９】
本発明は、上述のような問題点を解決するためになされたものであって、その目的は、使用者に応じて音声を調整できる音声出力装置を提供することである。他の局面における目的は、使用者に応じて音声を調整できる補聴器を提供することである。他の局面における目的は、使用者に応じて音声を調整できる通信端末を提供することである。
【００２０】
他の目的は、使用者に応じて音声が調整されるように音声出力装置を制御するためのプログラムを提供することである。
【００２１】
さらに他の目的は、音声出力装置の使用者に応じた音声を提供するための方法を提供することである。
【課題を解決するための手段】
【００２２】
一実施の形態に従う音声出力装置は、音声を受信するための受信手段と、音声を、当該音声出力装置の使用者が認識できる音声に変換するための変換データを格納するためのメモリと、変換データに基づいて、受信手段によって受信された音声を、使用者が認識できる音声に変換するための変換手段と、使用者が認識できる音声を出力するための出力手段とを備える。
【００２３】
好ましくは、音声出力装置は、メモリに格納されている変換データを更新するための更新手段をさらに備える。
【００２４】
他の実施の形態に従うと、上記のいずれかに記載の音声出力装置を備える通信端末が提供される。
【００２５】
好ましくは、変換データは、通信端末の使用者によって修正可能である。
さらに他の実施の形態に従うと、上記のいずれかに記載の音声出力装置を備える補聴器が提供される。
【００２６】
他の実施の形態に従うと、音声出力装置を制御するためのプログラムが提供される。このプログラムは、音声出力装置に、音声出力装置によって受信される音声を、当該音声出力装置の使用者が認識できる音声に変換するための変換データをロードするステップと、変換データに基づいて、受信された音声を、使用者が認識できる音声に変換するステップと、使用者が認識できる音声を出力するステップとを実行させる。
【００２７】
他の実施の形態に従うと、音声出力装置の使用者に応じた音声を提供するための方法が提供される。この方法は、音声出力装置と通信可能な情報通信装置が、音声を、音声出力装置の使用者が認識できる音声に変換するための変換データを受信するステップと、変換データを音声出力装置に送信するステップとを含む。
【００２８】
好ましくは、受信するステップは、音声出力装置の使用者の聴力の検査結果に基づいて作成される変換データを受信するステップを含む。
【００２９】
他の実施の形態に従う音声出力装置は、音声を、音声変換を必要とする使用者が認識できる音声に変換するための変換データと、使用者の情報とを格納するための記憶手段と、使用者の情報が登録された端末への着信に応答して当該端末が発呼していることを検知するための検知手段と、発呼の検知に応答して、使用者のための変換データを端末に送信するための送信手段とを備える。
【００３０】
他の実施の形態に従う音声出力装置は、音声を、音声変換を必要とする使用者が認識できる音声に変換するための変換データと、使用者の情報とを格納するための記憶手段と、使用者の情報が登録された端末に対する、使用者からの着信を検知するための検知手段と、着信の検知に応答して、使用者のための変換データを端末に送信するための送信手段とを備える。
【００３１】
他の実施の形態に従うと、上記の変換データを更新するためのシステムが提供される。このシステムは、変換データを使用する使用者の新たな検査情報を取得するための取得手段と、変換データを格納するための記憶手段と、新たな検査情報に基づいて記憶手段に格納されている変換データを更新するための更新手段と、更新手段によって更新された変換データを、当該使用者の情報が登録された端末に送信するための送信手段とを備える。
【００３２】
他の実施の形態に従うと、音声出力装置を制御するためのプログラムが提供される。このプログラムは、音声出力装置に、音声出力装置によって受信される音声を、当該音声出力装置の使用者が認識できる音声に変換するための変換データをロードするステップと、変換データに基づいて、受信された音声を、使用者が認識できる音声に変換するステップと、使用者が認識できる音声を出力するステップとを実行さる。変換するステップは、音声帯域のスペクトラムの強弱を組み合わせることにより、受信された音声を認識できる音声に変換することを含む。
【００３３】
ある局面によると、使用者に応じた音声が出力される。
【図面の簡単な説明】
【００３４】
【図１】音声出力装置１００の機能的構成を表すブロック図である。
【図２】補聴器２００のハードウェア構成を表すブロック図である。
【図３】携帯電話３００のハードウェア構成を表すブロック図である。
【図４】音声出力装置１００として機能する補聴器２００が有するメモリ２４０または携帯電話３００が有するメモリ３４４におけるデータの格納の一態様を概念的に表す図である。
【図５】補聴機能を有する携帯電話３００が実行する処理の一部を表すフローチャートである。
【図６】本変形例に係る携帯電話３００の使用態様を表わす図である。
【図７】コンピュータ６１０，６３０のハードウェア構成を表すブロック図である。
【図８】コンピュータ６１０として機能するＣＰＵ１が実行する処理の一部を表すフローチャートである。
【図９】通信事業者６２０が有するコンピュータ６３０のＣＰＵ１が実行する処理を表すフローチャートである。
【図１０】携帯電話３００のＣＰＵ３１０が実行する一連の処理の一部を表すフローチャートである。
【００３５】
この発明の上記および他の目的、特徴、局面および利点は、添付の図面と関連して理解されるこの発明に関する次の詳細な説明から明らかとなるであろう。
【発明を実施するための形態】
【００３６】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００３７】
［技術思想］
まず、本実施の形態に係る技術思想について説明する。本実施の形態に係る音声出力装置によると、Ａさんにとって聞こえるように修正された音声が出力される。この修正は、たとえば、音声コーデックのコードブックを補正することにより実現される。たとえば、Ａさんの通話相手が「バラツキ」と発音した単語は、Ａさんの通信端末の音声コーデックでデコードされる時に、「ブラツキ」に修正されてイヤーピースから出力される。これにより、通話相手が発話した「バラツキ」との語句は、Ａさんの耳に届く前に変換されて、Ａさんは、発話された言葉が「バラツキ」であることを認識することができる。
【００３８】
これは、現在のＡＣＥＬＰ（Algebraic  Code  Excited  Linear  Prediction：代数符号励振線形予測）などの音声コーデックでは、コードブックが人間の全ての音源に対応しており、子音、母音、濁音その他の全ての音源をコードブック化することが可能である。そのため、たとえば、Ａさんのように、どの音源の音がどう聞こえるかが事前に分かっていれば、その情報を通信端末のＲＡＭ（Random  Access  Memory）に格納しておく。音声コーデックでデコードする場合、その音源情報に基づいて、再生する言葉や音を変換すれば、補聴器は単に音を増幅させるだけの道具になり、難聴者は電話で聞きづらいという不便がなくなる。
【００３９】
さらに、Ａさんの掛り付けの病院に定期健診に行き、医師あるいは通信端末の使用者（Ａさん）が、徐々に変化する聞こえずらいスペクトラム応答情報を、Ａさんの通信端末にインストールすることで、自動的に音声コーデックの補正値を更新することができる。更新のためのデータのインストールとしては、病院のコンピュータからＡさんの通信端末に対して更新のための情報を送信して、通信端末のプロセッサがその情報を自動的にＲＡＭに格納する方法が用いられる。あるいは、他の局面において、病院と通信事業者が提携して、通信ネットワークに接続されたクラウドＰＣ（Personal  Computer）に保持されている変換データを、通信事業者が自動的にＡさんに送ってもよい。
【００４０】
［機能的構成］
図１を参照して、本発明の実施の形態に係る音声出力装置１００の構成について説明する。図１は、音声出力装置１００の機能的構成を表すブロック図である。
【００４１】
音声出力装置１００は、受信部１１０と、記憶部１２０と、変換部１３０と、出力部１４０と、更新部１５０とを備える。
【００４２】
受信部１１０は、音声を受信する。
記憶部１２０は、音声を、音声出力装置１００の使用者が認識できる音声に変換するための変換データを格納している。
【００４３】
変換部１３０は、当該変換データに基づいて、受信部１１０によって受信された音声を、当該使用者が認識できる音声に変換するように構成されている。
【００４４】
出力部１４０は、使用者が認識できる音声を出力する。
更新部１５０は、記憶部１２０に格納されている変換データを更新する。ある局面において、更新部１５０は、音声出力装置１００の外部から更新用の変換データの入力を受け、その変換データを記憶部１２０に書き込む。
【００４５】
他の局面において、変換データは、音声出力装置１００の使用者によって修正可能である。たとえば、当該使用者は、たとえばＵＳＢ（Universal  Serial  Bus）ケーブルを用いて音声出力装置１００を、周知の構成を有するコンピュータ（図示しない）に接続する。使用者は、記憶部１２０に格納されている変換データをコンピュータに読み出し、当該変換データをモニタ装置（図示しない）に表示させる。使用者は、コンピュータのマウスまたはキーボードを用いて、数値を変更することにより、表示された変換データを変更することができる。
【００４６】
［補聴器］
図２を参照して、本実施の形態に係る補聴器２００について説明する。図２は、補聴器２００のハードウェア構成を表すブロック図である。補聴器２００は、マイク２１０と、増幅器２２０と、Ａ／Ｄ（Analog  to  Digital）変換器２３０と、ＤＳＰ（Digital  Signal  Processor）２５０と、メモリ２４０と、Ｄ／Ａ（Digital  to  Analog）変換器２６０と、イヤホン２７０とを備える。メモリ２４０は、外部プログラム装置２８０によって生成されるデータを格納するように構成されている。メモリ２４０は、フラッシュメモリその他のデータを不揮発的に保持できる記憶装置である。
【００４７】
マイク２１０は、補聴器２００の外部において発話された音声を受け付け、音声に応じた信号を出力する。マイク２１０から取得される信号は、増幅器２２０に入力される。
【００４８】
増幅器２２０は、入力された信号を増幅して増幅後の信号を出力する。増幅器２２０から出力される信号は、Ａ／Ｄ変換器２３０に入力される。
【００４９】
Ａ／Ｄ変換器２３０は、アナログの音声信号をデジタルの音声信号に変換し、そのデジタル音声信号をＤＳＰ２５０に対して出力する。
【００５０】
メモリ２４０は、発話された音声を、補聴器２００の使用者が認識できる音声に変換するための変換データを格納している。
【００５１】
ＤＳＰ２５０は、メモリ２４０に格納されている変換データに基づいて、マイク２１０によって集められてＡ／Ｄ変換器２３０によって変換されたデジタル信号を、補聴器２００の使用者が認識できる音声に変換するための処理を実行する。ＤＳＰ２５０から出力される信号は、Ｄ／Ａ変換器２６０に入力される。
【００５２】
Ｄ／Ａ変換器２６０は、デジタル信号をアナログ信号に変換し、そのアナログ信号をイヤホン２７０に送出する。イヤホン２７０は、アナログ信号に基づいて音声を出力する。
【００５３】
ある局面において、たとえば、補聴器２００の使用者に対して「ハウス」と発話されると、補聴器２００の内部において「ハウス」は「マウス」に変換され、イヤホン２７０によって「マウス」という音声が出力される。補聴器２００の使用者は、その「マウス」という音声を聞くと、発話された音声が「ハウス」であるということを認識する。
【００５４】
外部プログラム装置２８０は、変換データを編集するための、周知の構成を有するコンピュータ装置として実現される。ある局面において、外部プログラム装置２８０は、補聴器２００の使用者に応じて変換前の音声と変換後の音声とを関連付けるための処理を実行する医師によって使用される。
【００５５】
［携帯電話］
図３を参照して、本実施の形態に係る携帯電話３００について説明する。図３は、携帯電話３００のハードウェア構成を表すブロック図である。
【００５６】
携帯電話３００は、通信装置３０２と、チューナ３０４と、アンテナ３０６，３０８と、ＣＰＵ（Central  Processing  Unit）３１０と、測位処理部３１２と、測位信号受信フロントエンド部３１４と、ＧＰＳ（Global  Positioning  System）アンテナ３１６と、カメラ３２０と、メモリ３４４と、ＲＡＭ（Random  Access  Memory）３４６と、ＲＯＭ（Read  Only  Memory）３４８と、音声信号処理回路３３０と、ＬＥＤ（Light  Emitting  Diode）３７６と、メモリカード駆動装置３４０と、データ通信Ｉ／Ｆ（Interface）３７８と、バイブレータ３８４とを備える。メモリカード駆動装置３４０には、着脱可能なメモリカード３４２が装着され得る。
【００５７】
アンテナ３０６は、ワンセグ放送波を受信する。チューナ３０４は、ＣＰＵ３１０の命令に従って番組を選局し、映像信号および音声信号をＣＰＵ３１０に伝送する。
【００５８】
アンテナ３０８は、通信のための信号を送受信する。アンテナ３０８によって受信された信号は、通信装置３０２によってフロントエンド処理が行なわれ、処理後の信号は、ＣＰＵ３１０に送られる。
【００５９】
ＣＰＵ３１０は、携帯電話３００に対して与えられる命令に基づいて携帯電話３００の動作を制御するための処理を実行する。ＣＰＵ３１０は、通信装置３０２から送られた信号に基づいて予め規定された処理を実行し、処理後の信号を音声信号処理回路３３０に送出する。音声信号処理回路３３０は、その信号に対して予め規定された信号処理を実行し、処理後の信号をスピーカ３８０に送出する。スピーカ３８０は、その信号に基づいて音声を出力する。
【００６０】
マイク３７０は、携帯電話３００に対する発話を受け付けて、発話された音声に対応する信号を音声信号処理回路３３０に対して送出する。音声信号処理回路３３０は、その信号に基づいて通話のために予め規定された処理を実行し、処理後の信号をＣＰＵ３１０に対して送出する。ＣＰＵ３１０は、その信号を送信用のデータに変換し、変換後のデータを通信装置３０２に対して送出する。通信装置３０２は、そのデータを用いて送信用の信号を生成し、アンテナ３０８に向けてその信号を送出する。
【００６１】
メモリ３４４は、ＣＰＵ３１０から送られるデータを格納する。また、ＣＰＵ３１０は、メモリ３４４に格納されているデータを読み出し、そのデータを用いて予め規定された処理を実行する。
【００６２】
操作スイッチ３６０は、携帯電話３００に対する操作を受け付ける。操作スイッチ３６０は、たとえば、ボタン、トグルスイッチその他のハードキー、または、ディスプレイ３５０に表示されるアイコンその他のソフトキー、もしくは、ハードキーおよびソフトキーの組み合わせとして実現される。
【００６３】
ＲＡＭ３４６は、操作スイッチ３６０に対して行なわれた操作に基づいてＣＰＵ３１０によって生成されるデータを一時的に保持する。ＲＡＭ３４６は、揮発性のメモリによって実現されるが、不揮発性のメモリであってもよい。
【００６４】
ＲＯＭ３４８は、携帯電話３００に予め定められた動作を実行させるための複数のプログラムあるいはデータを格納している。この複数のプログラムは、携帯電話３０の製造者によって生成されるプログラムと、いわゆるアプリと呼ばれるアプリケーションプログラムの提供者によって作成されるプログラムとを含む。
【００６５】
ＣＰＵ３１０は、当該プログラムに含まれる複数の命令を実行することにより携帯電話３００の動作を制御する。
【００６６】
メモリカード駆動装置３４０は、メモリカード３４２に格納されているデータを読み出し、ＣＰＵ３１０に送出する。逆にメモリカード駆動装置３４０は、ＣＰＵ３１０によって出力されるデータを、メモリカード３４２の空き領域に書き込む。
【００６７】
音声信号処理回路３３０は、上述のような通話のための信号処理を実行する。なお、図３に示される例では、ＣＰＵ３１０と音声信号処理回路３３０とが別個の構成として示されているが、他の局面において、ＣＰＵ３１０と音声信号処理回路３３０とが一体として構成されていてもよい。
【００６８】
ディスプレイ３５０は、ＣＰＵ３１０から取得されるデータに基づいて、当該データによって規定される画像を表示する。たとえば、メモリ３４４が格納している静止画、動画、音楽ファイルの属性（当該ファイルの名前、演奏者、演奏時間など）を表示する。ディスプレイ３５０は、液晶モニタ、有機ＥＬ（Electro  Luminescence）モニタとして実現される。ディスプレイ３５０は、単なるモニタ、または、タッチパネル式のモニタのいずれであってもよい。
【００６９】
ＬＥＤ３７６は、ＣＰＵ３１０からの信号に基づいて、予め定められた発光動作を実現する。
【００７０】
データ通信Ｉ／Ｆ３７８は、携帯電話３００と通信するための情報処理装置と有線または無線で通信する。通信の態様は、赤外線、ＬＡＮ（Local  Area  Network）、ＵＳＢ（Universal  Serial  Bus）、Bluetooth（登録商標）のいずれであってもよい。ある局面において、データ通信Ｉ／Ｆ３７８は、ＣＰＵ３１０から出力される信号を、通信が確立されている他の情報処理装置に対して送信する。当該他の情報処理装置は、周知の構成を有するコンピュータ装置、スマートフォン、携帯電話、タブレット型端末等を含む。他の局面において、データ通信Ｉ／Ｆ３７８は、通信が確立されている当該他の情報処理装置から送られたデータを受信し、そのデータを、ＣＰＵ３１０に対して送出する。ＣＰＵ３１０は、そのデータを、メモリ３４４に格納する。
【００７１】
バイブレータ３８４は、ＣＰＵ３１０から出力される信号に基づいて、携帯電話３００の使用者によって指定されたパターンで、発振動作を実行する。
【００７２】
ＧＰＳアンテナ３１６は、ＧＰＳ衛星から発信される信号を受信し、受信した信号を測位信号受信フロントエンド部３１４に送出する。測位信号受信フロントエンド部３１４は、公知の測位処理を実行し、測位処理の結果に基づいて、携帯電話３００の位置を算出する。ＣＰＵ３１０は、その算出結果をディスプレイ３５０に表示する。なお、他の局面において、携帯電話３００は、測位機能を有していなくてもよい。
【００７３】
［データ構造］
図４を参照して、本実施の形態に係る音声出力装置１００のデータ構造について説明する。図４は、音声出力装置１００として機能する補聴器２００が有するメモリ２４０または携帯電話３００が有するメモリ３４４におけるデータの格納の一態様を概念的に表す図である。
【００７４】
メモリ２４０，３４４は、音声データを格納するための領域４１０と、使用者が認識できる音声のデータを格納するための領域４２０とを含む。領域４１０に格納されるデータは、領域４２０に格納されるデータに関連付けられる。たとえば、ある局面において、領域４１０は、通常の聴力を有する一般の使用者が認識可能な音声のデータを格納している。一方、領域４２０は、補聴器２００の、または補聴機能を有する携帯電話３００の使用者が認識できる音声のデータを格納する。この音声のデータは、領域４１０に格納されている音声に対応する。たとえば、一般人が「ハウス」と発話したとき、その発話を「ハウス」として認識できない人がいる。このとき、その人は、「マウス」との発話を「ハウス」と認識できるとする。このような認識内容は、たとえば、意思の診断結果に基づいて、その人が音をどのように認識できるかという医師による診察結果に基づいて把握される。
【００７５】
そこで、その人が使用者として補聴器２００または補聴機能を有する携帯電話３００を使用する場合には、その使用者に対して「ハウス」と認識させるためには、補聴器２００または補聴機能を有する携帯電話３００が、その使用者の耳に「マウス」という音声を出力することが望ましい。
【００７６】
図４に示されるデータは、補聴器２００の使用者に応じて異なる。したがって、図２に示されるように、ある局面において、たとえば、その使用者を診断する医師が、外部プログラム装置２８０を用いて、その使用者に固有のデータ（変換データ）を作成する。補聴器２００の使用者または医師は、たとえば、メモリカードの更新あるいは無線または有線を介したデータの転送により、メモリ２４０に格納される変換データを更新することができる。
【００７７】
［制御構造］
図５を参照して、本実施の形態に係る携帯電話３００の制御構造について説明する。図５は、補聴機能を有する携帯電話３００が実行する処理の一部を表すフローチャートである。
【００７８】
ステップＳ５１０にて、マイク３７０は、携帯電話３００の使用者に対して発話された音声を集音する。マイク３７０は、その音声をアナログの音声信号に変換して音声信号処理回路３３０に対して送出する。
【００７９】
ステップＳ５２０にて、音声信号処理回路３３０は、その音声信号をＡ／Ｄ変換してデジタルの音声信号を生成する。音声信号は、ＣＰＵ３１０に入力される。
【００８０】
ステップＳ５３０にて、ＣＰＵ３１０は、生成したデジタルの音声信号を音素に分解し、音声を構成する要素を取得する。音素の分解は、公知の技術を用いて行なわれる。
【００８１】
ステップＳ５４０にて、ＣＰＵ３１０は、メモリ３４４に格納されている変換データを参照して、たとえば領域４１０に保持されているデータをスキャンすることにより、変換が必要な単語を特定する。
【００８２】
ステップＳ５５０にて、ＣＰＵ３１０は、変換データを参照して、特定された単語の音声（領域４１０）を、携帯電話３００の使用者が認識可能な音声（領域４２０）に変換する。
【００８３】
ステップＳ５６０にて、ＣＰＵ３１０は、変換後の音声をＤ／Ａ変換して、アナログ音声信号を生成する。
【００８４】
ステップＳ５７０にて、ＣＰＵ３１０は、生成した音声信号を音声信号処理回路３３０に送信する。音声信号処理回路３３０は、その信号に対して予め規定された信号処理を実行し、処理後の信号をスピーカ３８０に送信する。スピーカ３８０は、その音声信号に基づき音声を出力する。携帯電話３００の使用者は、自身が認識可能な音声に変換された音声を聞くことができる。
【００８５】
ステップＳ５８０にて、ＣＰＵ３１０は、操作スイッチ３６０からの信号に基づいて、通話の終了指示が入力されたか否かを判断する。ＣＰＵ３１０は、通話の終了指示が入力されたと判断すると（ステップＳ５８０にてＹＥＳ）、制御を終了する。そうでない場合には（ステップＳ５８０にてＮＯ）、ＣＰＵ３１０は、制御をステップＳ５１０に戻す。
【００８６】
なお、他の局面において、ＣＰＵ３１０による処理と、音声信号処理回路３３０による処理とは、いずれか一つによって実行されてもよい。
【００８７】
以上のようにして、本実施の形態に係る携帯電話３００は、発話された音声（携帯電話３００が受信した音声、携帯電話３００が再生する音声等）を、携帯電話３００の使用者が認識可能な音声に変換し、変換後の音声をスピーカ３８０から出力する。この音声の変換は、メモリ３４４に格納されている変換データに基づいて行なわれる。変換データは、変更可能である。音声の認識の態様は、人によって異なるので、携帯電話３００のメモリ３４４に保持されるべき変換データを変更することにより、使用者に応じた音声変換機能を提供することができる。
【００８８】
＜変形例＞
［使用態様］
図６を参照して、本実施の形態の変形例について説明する。図６は、本変形例に係る携帯電話３００の使用態様を表わす図である。
【００８９】
ある局面において、携帯電話３００は、病院６００および通信事業者６２０と通信することができる。病院６００は、たとえば、携帯電話３００の使用者を含む患者の情報をカルテとして格納するコンピュータ６１０を有する。通信事業者６２０は、コンピュータ６３０を有する。コンピュータ６１０とコンピュータ６３０とは、インターネットその他の回線に接続されており、相互に通信可能である。
【００９０】
コンピュータ６３０は、変換データを格納している。通信事業者６２０は、病院６００から送られる変換データをコンピュータ６３０の記憶装置に格納する。通信事業者６２０は、携帯電話３００によるアクセスに基づいて、あるいは、病院６００による送信の要求に基づいて、携帯電話３００の使用者に応じた固有の変換データを携帯電話３００に送信する。
【００９１】
［ハードウェア構成］
図７を参照して、本変形例に係るコンピュータ６１０，６３０について説明する。図７は、コンピュータ６１０，６３０のハードウェア構成を表すブロック図である。
【００９２】
コンピュータ６１０，６３０は、主たる構成要素として、プログラムを実行するＣＰＵ１と、コンピュータ６１０，６３０の使用者による指示の入力を受けるマウス２およびキーボード３と、ＣＰＵ１によるプログラムの実行により生成されたデータ、又はマウス２若しくはキーボード３を介して入力されたデータを揮発的に格納するＲＡＭ４と、データを不揮発的に格納するハードディスク５と、光ディスク駆動装置６と、モニタ８と、通信ＩＦ（Interface）９とを備える。各構成要素は、相互にバスによって接続されている。光ディスク駆動装置６には、ＣＤ−ＲＯＭ９その他の光ディスクが装着される。通信ＩＦ９は、ＵＳＢ（Universal  Serial  Bus）インターフェイス、有線ＬＡＮ（Local  Area  Network）、無線ＬＡＮ、Bluetooth（登録商標）インターフェイス等を含むが、これらに限られない。
【００９３】
コンピュータ６１０，６３０における処理は、各ハードウェアおよびＣＰＵ１により実行されるソフトウェアによって実現される。このようなソフトウェアは、ハードディスク５に予め格納されている場合がある。また、ソフトウェアは、ＣＤ−ＲＯＭ９その他のコンピュータ読み取り可能な不揮発性のデータ記録媒体に格納されて、プログラム製品として流通している場合もある。あるいは、当該ソフトウェアは、インターネットその他のネットワークに接続されている情報提供事業者によってダウンロード可能なプログラム製品として提供される場合もある。このようなソフトウェアは、光ディスク駆動装置６その他のデータ読取装置によってデータ記録媒体から読み取られて、あるいは、通信ＩＦ７を介してダウンロードされた後、ハードディスク５に一旦格納される。そのソフトウェアは、ＣＰＵ１によってハードディスク５から読み出され、ＲＡＭ４に実行可能なプログラムの形式で格納される。ＣＰＵ１は、そのプログラムを実行する。
【００９４】
図７に示されるコンピュータ６１０，６３０を構成する各構成要素は、一般的なものである。コンピュータ６１０，６３０の各ハードウェアの動作は周知であるので、詳細な説明は繰り返さない。
【００９５】
なお、データ記録媒体としては、ＣＤ−ＲＯＭ、ＦＤ（Flexible  Disk）、ハードディスクに限られず、磁気テープ、カセットテープ、光ディスク（ＭＯ（Magnetic  Optical  Disc）／ＭＤ（Mini  Disc）／ＤＶＤ（Digital  Versatile  Disc））、ＩＣ（Integrated  Circuit）カード（メモリカードを含む）、光カード、マスクＲＯＭ、ＥＰＲＯＭ（Electronically  Programmable  Read-Only  Memory）、ＥＥＰＲＯＭ（Electronically  Erasable  Programmable  Read-Only  Memory）、フラッシュＲＯＭなどの半導体メモリ等の固定的にプログラムを担持する媒体でもよい。
【００９６】
ここでいうプログラムとは、ＣＰＵにより直接実行可能なプログラムだけでなく、ソースプログラム形式のプログラム、圧縮処理されたプログラム、暗号化されたプログラム等を含み得る。
【００９７】
［制御構造］
図８を参照して、本変形例に係るコンピュータ６１０の制御構造について説明する。図８は、コンピュータ６１０として機能するＣＰＵ１が実行する処理の一部を表すフローチャートである。ある局面において、コンピュータ６１０は、病院６００に配置されて、量力を診断し補聴機能を提示する医師によって使用される。
【００９８】
ステップＳ８１０にて、ＣＰＵ１は、医師によって操作される入力インターフェイス（たとえば、マウス２、キーボード３、通信Ｉ／Ｆ７）を介して、検査に基づいて得られた携帯電話３００の使用者（患者）の聴力データを取得する。聴力データは、たとえば、コンピュータ６１０に接続される聴力診断装置（図示しない）から取得される。あるいは、コンピュータ６１０が、聴力診断装置として機能する場合には、診断結果として保持されている聴力データが、その聴力データが保存されているフォルダから読み出される。ＣＰＵ１は、その取得した聴力データをハードディスク５において確保された領域に格納する。
【００９９】
ステップＳ８２０にて、ＣＰＵ１は、標準音声と、医師の操作に基づいて、当該標準音声として使用者に認識される固有の音声との対応を示す変換データを作成する。ここで、標準音声とは、正常な聴力を有する一般人が認識できる音声をいう。変換データの作成は、たとえば、医師が当該入力インターフェイスを介して入力したデータと、標準音声のデータとを関連付けることにより実行される。関連付けは、たとえば、医師がモニタ８に表示される標準音声と、当該固有の音声との関連を明示する操作（たとえば、マウス２によるクリック）を行なうことにより実現される。
【０１００】
ステップＳ８３０にて、ＣＰＵ１は、医師による保存命令に基づいて、生成された変換データと、当該変換データが適用される使用者（携帯電話３００の使用者）の識別情報とをハードディスク５に格納する。
【０１０１】
ステップＳ８４０にて、ＣＰＵ１は、送信命令に基づいて、携帯電話３００の使用者のための変換データを通信事業者６２０に送信する。送信命令は、医師による送信指示に基づいて、変換データが新たに作成されたことに基づいて、あるいは、予め設定された送信日時が到来したことに基づいて、ＣＰＵ１に対して与えられる。通信事業者６２０のコンピュータ６３０は、その変換データと、当該変換データの使用者の識別情報とを受信すると、受信日時を表わすタイムスタンプとともに、コンピュータ６３０のハードディスク５に格納する。
【０１０２】
図９を参照して、通信事業者６２０における処理について説明する。図９は、通信事業者６２０が有するコンピュータ６３０のＣＰＵ１が実行する処理を表すフローチャートである。
【０１０３】
ステップＳ９１０にて、ＣＰＵ１は、病院６００のコンピュータ６１０から、携帯電話３００の使用者に関連付けられた変換データを受信する。
【０１０４】
ステップＳ９２０にて、ＣＰＵ１は、受信した変換データと、当該変換データの使用者の識別情報（たとえば、携帯電話３００の使用者の氏名、電話番号、メールアドレス、社会保険番号等）をハードディスク５に格納する。
【０１０５】
ステップＳ９３０にて、ＣＰＵ１は、通信Ｉ／Ｆ７を介して、使用者の携帯電話３００に対して変換データの更新を促すメッセージを送信する。この送信は、たとえば、携帯電話３００からコンピュータ６３０に対してアクセスがあったとき、病院６００からメッセージを送信する旨のリクエストが送られたとき、あるいは通信事業者６２０が予め定められたタイミングが到来したときに行なわれる。なお、携帯電話３００からコンピュータ６３０に対するアクセスは、たとえば携帯電話３００が有するアプリケーションが起動されたときに、行なわれる。当該リクエストは、たとえば、携帯電話３００の使用者を診断した医師により、速やかに変換データを更新した方が望ましいと判断されたとき、更新前後の変換データの内容が大きく異なるとコンピュータ６１０によって判断されたときに、病院６００のコンピュータ６１０から通信事業者６２０のコンピュータ６３０に送られる。
【０１０６】
ステップＳ９４０にて、ＣＰＵ１は、通信Ｉ／Ｆ７を介して受信した信号に基づいて、携帯電話３００から変換データを更新する旨の回答を受信したことを検知する。たとえば、携帯電話３００の使用者が、変換データの送信を受け入れる旨の回答を携帯電話３００に対して与えると、携帯電話３００は、その回答の信号を通信事業者６２０のコンピュータ６３０に送信する。
【０１０７】
ステップＳ９５０にて、ＣＰＵ１は、携帯電話３００に対して最新の変換データを送信する。携帯電話３００は、変換データを受信したことを示す通知をディスプレイ３５０に表示する。保存指示が使用者によって与えられると、携帯電話３００は、その変換データをメモリ３４４に格納する。携帯電話３００は、変換データが更新されると、その更新後の変換データを用いて発話された音声を携帯電話３００の使用者に認識可能な音声に変更する。
【０１０８】
図１０を参照して、本変形例に係る携帯電話３００の制御構造について説明する。図１０は、携帯電話３００のＣＰＵ３１０が実行する一連の処理の一部を表すフローチャートである。
【０１０９】
ステップＳ１０１０にて、ＣＰＵ３１０は、通信装置３０２から送られる信号に基づいて、通信事業者６２０から変換データを更新することを促すメッセージを受信する。
【０１１０】
ステップＳ１０２０にて、ＣＰＵ３１０は、ディスプレイ３５０にそのメッセージを表示する。
【０１１１】
ステップＳ１０３０にて、ＣＰＵ３１０は、操作スイッチ３６０から送られる信号に基づいて、そのメッセージに応答して変換データを更新する旨の指示が入力されたか否かを判断する。ＣＰＵ３１０は、その指示が入力されたと判断すると（ステップＳ１０３０にてＹＥＳ）、制御をステップＳ１０４０に切り換える。そうでない場合には（ステップＳ１０３０にてＮＯ）、ＣＰＵ３１０は、制御をステップＳ１０８０に切り換える。
【０１１２】
ステップＳ１０４０にて、ＣＰＵ３１０は、変換データを更新する旨の回答を、通信装置３０２を介して通信事業者６２０に送信する。通信事業者６２０のコンピュータ６３０は、その回答を受信すると、携帯電話３００の使用者に応じた変換データをハードディスク５から読み出し、変換データを携帯電話３００に送信するための準備を行なう。
【０１１３】
ステップＳ１０５０にて、ＣＰＵ３１０は、通信装置３０２を介して、通信事業者６２０から更新後の新たな変換データを受信する。
【０１１４】
ステップＳ１０６０にて、ＣＰＵ３１０は、その受信した変換データを書き換える。具体的には、ＣＰＵ３１０は、メモリ３４４に格納されている変換データに上書きすることにより、受信した新たな変換データを書き込む。
【０１１５】
ステップＳ１０７０にて、ＣＰＵ３１０は、通信装置３０２を介して電話の着信を受けると、書き換え後の変換データを用いて通話相手によって発話された音声を変換する。
【０１１６】
ステップＳ１０８０にて、ＣＰＵ３１０は、予め定められたその他の処理を実行する。その後、ＣＰＵ３１０は、使用状況（聞こえ方の程度など）その他の変換データに対する要望を、操作スイッチ３６０への操作に基づいて取得する。たとえば、ディスプレイ３５０は、携帯電話３００の補聴機能に対する使用感を問い合わせる質問を表示する。使用者は、操作スイッチ３６０を操作することにより、その質問に対する回答を携帯電話３００に入力する。ＣＰＵ３１０は、送信命令が使用者によって与えられると、変換データに対するフィードバックとして、その回答を病院６００のコンピュータ６１０に送信する。これにより、医師は、そのフィードバックされた回答を参考にして、変換データの調整の要否、たとえば、音素を構成するスペクトラムの変更の度合い等を判断することができる。
【０１１７】
以上のようにして、本変形例によると、携帯電話３００は、その使用者を診断する医師が使用するコンピュータ６１０と、通信事業者６２０と通信可能に接続される。これにより、携帯電話３００の使用者に適切な変換データを、動的に、コンピュータ６１０から携帯電話３００に提供することができる。また、通信事業者６２０が変換データを保持するため、その変換データの使用者の承諾が得られるならば、その変換データを、他の携帯電話の使用者に提供することも可能となる。その結果、変換データの利便性が向上し得る。
【０１１８】
他の局面において、音声出力装置は、通信制御装置に適用される。この通信制御装置は、電話または通信のサービスを提供する通信事業者によって運営される。たとえば、第１の加入者は、第２の加入者に発呼する。このとき、第１の加入者によるダイヤル番号は、通信制御装置に入力される。通信制御装置は、そのダイヤル番号に基づいて加入者情報を参照し、第２の加入者を特定する。加入者情報は、さらに、当該加入者が本実施の形態に係る変換データを用いた音声変換機能を当該加入者が使用する電話機で用いているか否かを表わす情報を含む。通信制御装置は、この情報に基づいて、電話の着信を受ける第２の加入者が、音声変換の機能を用いていることを知ることができる。
【０１１９】
このような通信制御装置は、たとえば、周知の構成を有するコンピュータ６３０によって実現される。コンピュータ６３０において、ハードディスク５は、音声を、音声変換を必要とする使用者が認識できる音声に変換するための変換データと、使用者の情報とを格納している。ＣＰＵ１は、通信ＩＦ７から送られる信号に基づいて、使用者の情報が登録された端末（たとえば、第２の加入者が使用する情報通信端末）への着信に応答して、当該情報通信端末が発呼していることを検知する。ＣＰＵ１は、発呼の検知に応答して、通信ＩＦ７を介して、使用者（第２の加入者）のための変換データを当該情報通信端末に送信する。
【０１２０】
別の局面において、着信を検知した情報通信端末に対して変換データを送信する音声出力装置が提供される。この音声出力装置も、周知の構成を有するコンピュータ６３０によって実現される。具体的には、コンピュータ６３０において、ハードディスク５は、音声を、音声変換を必要とする使用者が認識できる音声に変換するための変換データと、使用者の情報とを格納している。ＣＰＵ１は、通信ＩＦ７から送られてくる発呼信号に基づいて、使用者の情報が登録された情報通信端末に対する、当該使用者からの着信を検知する。ＣＰＵ１は、当該着信の検知に応答して、使用者のための変換データを、当該情報通信端末に送信する。変換データを受信した情報通信端末は、使用者からの着信を受けた発話を、変換データを用いて変換し、変換後の音声を出力する。このようにすると、発呼者が、発話において独特の音声を発する場合であっても、情報通信端末が当該発呼者に固有の変換データを用いて音声を出力するので、当該情報通信端末の使用者は、当該発呼者による発話を容易に認識することができる。
【０１２１】
さらに他の局面において、本実施の形態に係る変換データを更新するためのシステムが提供される。このシステムは、周知の構成を有するコンピュータ６３０によって実現される。より詳しくは、コンピュータ６３０において、ＣＰＵ１は、通信ＩＦ７を介して、変換データを使用する使用者の新たな検査情報を、たとえば、聴力を診断する医療機関のデータベースから取得する。ハードディスク５は、変換データを格納している。ＣＰＵ１は、更新部として、医療機関における新たな検査情報に基づいて、ハードディスク５に格納されている変換データを更新する。たとえば、ＣＰＵ１は、検査情報から変換データを導出するために予め規定されたデータテーブルまたは関数を用いて、検査情報から変換データを導出する。あるいは、別の局面において、当該医療機関の医師が、変換データを更新する構成であってもよい。ＣＰＵ１は、通信ＩＦ７を介して、当該使用者の情報が登録された情報通信端末に、更新後の変換データを送信する。情報通信端末は、変換データを受信すると、当該使用者の変換データを更新する。その後、情報通信端末は、電話の着呼または発話を検知すると、更新後の変換データを用いて、受信した音声または発話された音声を変換し、変換後のデータに基づく音声を出力する。このようにすると、情報通信端末の変換データの更新が容易になる。
【０１２２】
さらに別の局面において、本実施の形態に係る技術思想は、音声出力装置を制御するためのプログラムとして実現される。音声出力装置は、周知の構成を有するコンピュータ６１０として実現される。たとえば、プログラムは、コンピュータ６１０のＣＰＵ１に、音声出力装置によって受信される音声を、当該音声出力装置の使用者が認識できる音声に変換するための変換データをハードディスク５からＲＡＭ４にロードするステップと、変換データに基づいて、受信された音声を、使用者が認識できる音声に変換するステップと、使用者が認識できる音声を出力するステップとを実行させる。より特定的には、ＣＰＵ１は、変換するステップとして、予め設定された音声帯域のスペクトラムの強弱を組み合わせることにより、受信された音声を認識できる音声に変換する。
【０１２３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１２４】
２  マウス、３  キーボード、４，３４６  ＲＡＭ、５  ハードディスク、６  光ディスク駆動装置、８  モニタ、９，３４８  ＲＯＭ、３００  携帯電話、１００  音声出力装置、１１０  受信部、１２０  記憶部、１３０  変換部、１４０  出力部、１５０  更新部、２００  補聴器、２１０，３７０  マイク、２２０  増幅器、２３０  Ａ／Ｄ変換器、２６０  Ｄ／Ａ変換器、２４０，３４４  メモリ、２７０  イヤホン、２８０  外部プログラム装置、３０２  通信装置、３０４  チューナ、３０６，３０８，３１６  アンテナ、３１２  測位処理部、３１４  測位信号受信フロントエンド部、３２０  カメラ、３３０  音声信号処理回路、３４０  メモリカード駆動装置、３４２  メモリカード、３５０  ディスプレイ、３６０  操作スイッチ、３８０  スピーカ、３８４  バイブレータ、６００  病院、６１０，６３０  コンピュータ、６２０  通信事業者。
【図１】
2013127536.tif 000003
【図２】
2013127536.tif 000004
【図３】
2013127536.tif 000005
【図４】
2013127536.tif 000006
【図５】
2013127536.tif 000007
【図６】
2013127536.tif 000008
【図７】
2013127536.tif 000009
【図８】
2013127536.tif 000010
【図９】
2013127536.tif 000011
【図１０】
2013127536.tif 000012